(57)【要約】【課題】サブパケットが可変長さを有する場合、１つのサブパケットが消失されても、受信端が、そのサブパケットを１つのパケットに再構成してデコーディングを行うことができる。【解決手段】転送しようとする情報を含むビットストリームを繰り返してパケットを生成するステップと、パケットから、送受信端で互いに決められた規則によって決められた転送開始点によって転送される少なくとも一つのサブパケットを分離するステップとを含む。さらに、送信端で、サブパケット識別子を用いて転送開始点情報を制御チャネルを介して知らせ、該当サブパケットをデータ転送チャネルを介して転送開始点情報によって転送する。【選択図】図５ａ
2008252955.tif 000002
【特許請求の範囲】
【請求項１】
ハイブリッド自動再送要求方式を用いてパケットデータ通信においてデータパケットを送信する方法であって、
該方法は、
送信されるべきエンコーダパケット情報をエンコードすることによって生成される、エンコードされたデータパケットを形成することと、
該エンコードされたデータパケットから特定のサブパケット識別子および特定の長さを有する少なくとも１つのサブパケットを生成することであって、該少なくとも１つのサブパケットの各々は、該エンコードされたデータパケットにおける自身のサブパケット識別子および自身のサブパケットの長さにより識別される開始点から生成される、ことと、
該少なくとも１つのサブパケットを受信端に送信することと
を包含する、方法。
【請求項２】
前記エンコードされたデータパケットは、エンコード率１／ｎで情報をエンコードすることによって作成されたＮデータビットを含み、
前記少なくとも１つのサブパケットのうちのｋ番目のサブパケットであって、サブパケット識別子ＳＰＩＤｋおよび長さＬｋを有するｋ番目のサブパケットは、等式（ＳＰＩＤｋ×Ｌｋ）ｍｏｄ（ｎ×ＮＥＰ）によって規定される開始点から生成され、ＮＥＰは、エンコーダパケット内のビット数である、請求項１に記載の方法。
【請求項３】
前記少なくとも１つのサブパケットが新たなエンコーダパケットの１番目のサブパケットであるか否かを示すインディケーションを、送信端が送信することをさらに包含する、請求項１に記載の方法。
【請求項４】
前記インディケーションは、１ビット情報である、請求項３に記載の方法。
【請求項５】
前記インディケーションが第１の状態を有する場合に、該インディケーションは、受信端に現在受信されたサブパケットと以前に受信されたサブパケットとを結合させないように信号を送り、
該インディケーションが第２の状態を有する場合に、該インディケーションは、該受信端に該現在受信されたサブパケットと該以前に受信されたサブパケットとを結合させるように信号を送る、請求項３に記載の方法。
【請求項６】
ハイブリッド自動再送要求方式を用いてパケットデータ通信においてデータパケットを送信する方法であって、
該方法は、
送信されるべきエンコーダパケット情報をエンコードすることによって生成される、エンコードされたデータパケットを形成することと、
該エンコードされたデータパケットから特定のサブパケット識別子および特定の長さを有する少なくとも１つのサブパケットを生成することと、
該少なくとも１つのサブパケットを、該少なくとも１つのサブパケットが新たなエンコーダパケットの１番目のサブパケットであるか否かを示すインディケーションとともに送信することと
を包含する、方法。
【請求項７】
前記インディケーションは、１ビット情報である、請求項６に記載の方法。
【請求項８】
前記インディケーションが第１の状態を有する場合に、該インディケーションは、受信端に現在受信されたサブパケットと以前に受信されたサブパケットとを結合させないように信号を送り、
該インディケーションが第２の状態を有する場合に、該インディケーションは、該受信端に該現在受信されたサブパケットと該以前に受信されたサブパケットとを結合させるように信号を送る、請求項６に記載の方法。
【請求項９】
ハイブリッド自動再送要求方式を用いてパケットデータ通信システムにおいてデータパケットを受信する方法であって、エンコードされたデータパケットは、送信されるべきエンコーダパケット情報をエンコードすることによって生成され、特定のサブパケット識別子および特定の長さを有する少なくとも１つのサブパケットは、該エンコードされたデータパケットから生成され、
該方法は、
該少なくとも１つのサブパケットに対応する特定のサブパケット識別子とともに該少なくとも１つのサブパケットを受信することと、
該エンコードされたデータパケットにおける識別された開始点を用いて該少なくとも１つのサブパケットをデコードすることと
を包含し、
該識別された開始点は、該受信されたサブパケットの自身のサブパケット識別子の各々と、該受信されたサブパケットの自身のサブパケットの長さの各々とによって識別される、方法。
【請求項１０】
前記エンコードされたデータパケットは、エンコード率１／ｎで情報をエンコードすることによって作成されたＮデータビットを含み、
前記少なくとも１つのサブパケットのうちのｋ番目のサブパケットであって、サブパケット識別子ＳＰＩＤｋおよびサブパケットの長さＬｋを有するｋ番目のサブパケットの識別された開始点は、等式（ＳＰＩＤｋ×Ｌｋ）ｍｏｄ（ｎ×ＮＥＰ）によって識別され、ＮＥＰは、エンコーダパケット内のビット数である、請求項９に記載の方法。
【請求項１１】
前記少なくとも１つのサブパケットが新たなエンコーダパケットの１番目のサブパケットであるか否かを示すインディケーションを、受信端が受信することをさらに包含する、請求項９に記載の方法。
【請求項１２】
前記インディケーションは、１ビット情報である、請求項１１に記載の方法。
【請求項１３】
前記インディケーションが第１の状態を有する場合に、前記受信端は、現在受信されたサブパケットと以前に受信されたサブパケットとを結合せず、
該インディケーションが第２の状態を有する場合に、該受信端は、該現在受信されたサブパケットと該以前に受信されたサブパケットとを結合する、請求項１１に記載の方法。
【請求項１４】
ハイブリッド自動再送要求方式を用いてパケットデータ通信システムにおいてデータパケットを受信する方法であって、エンコードされたデータパケットは、送信されるべきエンコーダパケット情報をエンコードすることによって生成され、該エンコードされたデータパケットから少なくとも１つのサブパケットが生成され、
該方法は、
受信されたサブパケットが新たなエンコーダパケットの１番目のサブパケットであるか否かを示すインディケーションとともに該少なくとも１つのサブパケットを受信することと、
該受信されたサブパケットをデコードすることと
を包含し、
該デコードすることにおいて、
該インディケーションが第１の状態を有する場合に、受信端は、現在受信されたサブパケットと以前に受信されたサブパケットとを結合せず、
該インディケーションが第２の状態を有する場合に、該受信端は、該現在受信されたサブパケットと該以前に受信されたサブパケットとを結合する、方法。
【発明の詳細な説明】
【技術分野】
【０００１】
本発明は、移動通信システムに関するもので、特に、ハイブリッド自動再送要求方式を用いたパケット送受信方法に関する。
【背景技術】
【０００２】
一般に、移動通信システムのためのパケットデータの転送は、ハイブリッド自動再送要求方式（Ｈｙｂｒｉｄ  Ａｕｔｏｍａｔｉｃ  Ｒｅｐｅａｔ  Ｒｅｑｕｅｓｔ：以下、ＨＡＲＱと称する）を用いる。
【０００３】
即ち、ＨＡＲＱ方式は、自動再送要求（Ａｕｔｏｍａｔｉｃ  Ｒｅｐｅａｔ  Ｒｅｑｕｅｓｔ：以下、ＡＲＱと称する）方式と、順方向エラー訂正（Ｆｏｒｗａｒｄ  Ｅｒｒｏｒ  Ｃｏｒｒｅｃｔｉｏｎ：以下ＦＥＣと称する）とを結合させて、通信システムにおけるデータ転送時の信頼度とデータ処理量を向上させることにその目的がある。
【０００４】
前記ＡＲＱは、受信端に最初に転送された情報がエラーなく受信されるまで、受信端が同一な情報の再転送を要求することで信頼度を向上させることがその目的であり、ＦＥＣは、エラー訂正コードを用いてチャネル環境によって生じたエラーを受信端が補正することがその目的である。
【０００５】
もし、チャネル環境が常に良好で、送られた情報にエラー発生頻度が少ないとＡＲＱだけを使用しても十分である。
【０００６】
しかしながら、チャネル環境が不良となる場合には、送られた情報に生じるエラーの頻度が多くなり、これにより、再転送を要求する回数も多くなる。
【０００７】
これは、システムのデータ処理量を低下させることになる。従って、ＡＲＱと共にＦＥＣを用いることが提案されており、これがＨＡＲＱである。
【０００８】
ＨＡＲＱの一つの種類として、増加冗長（リダンダンシ）（ｉｎｃｒｅｍｅｔａｌ  ｒｅｄｕｎｄａｎｃｙ）を用いる方法がある。
【０００９】
この方法は、送信端が、最初、高いコーディングレートでエンコーディングされた情報を受信端に転送し、その受信端から再転送を要求されるごとに、送信端はコーディングレートを低めてエンコーディングした後、追加される冗長ビットだけを受信端に送ると、受信端は、既に送られた情報と結合をしてデコーディングする方式である。
【００１０】
追加される冗長ビットは、以前に送られたパケットデータのエラーの訂正又は検出のために付加されるビットである。
【００１１】
これによって、受信端は、結合による利得が得られ、再転送をするたびに、パケットデータの結合コーディングレートが次第に減少することになるので、送信端は、パケットデータにチャネル環境の変化に適応した冗長（リダンダンシ）を与えることができる。
【００１２】
現在、移動通信システムのうち、高速データ通信システム（Ｈｉｇｈ  Ｄａｔａ  Ｒａｔｅ：以下ＨＤＲと称する）ではＨＡＲＱの増加冗長方式のうち、特に同期化された増加冗長方式（Ｓｙｎｃｈｒｏｎｏｕｓ  Ｉｎｃｒｅｍｅｎｔａｌ
ｒｅｄｕｎｄａｎｃｙ：以下ＳＩＲと称する）が用いられる。
【００１３】
このＳＩＲ方式は、図１ａに示すように、転送する情報をエンコーディング及び１つのパケットの構成を繰り返して、そのパケットを固定された大きさのサブパケットに分けて転送する方式である。
【００１４】
即ち、送信端は、１つのパケットを構成するサブパケットのうち、１つのサブパケットを受信端に転送し、受信端が、転送されたサブパケットのデコーディングを無エラーで行い、ＡＣＫを送信端に転送すると、送信端はこれ以上のサブパケットを転送しないことになる。
【００１５】
もし、受信端が、転送されたサブパケットのデコーディングを失敗し、ＮＡＣＫを送信端に転送すると、送信端は次回のサブパケットを転送する。
【００１６】
なお、変化するチャネル環境でパケットデータの転送率を高めるためには、それぞれサブパケットの長さがチャネル環境によって変化することが有利である。
【００１７】
従って、このような方式を実現するために可変のサブパケット長さを用いる方式が用いられており、これを図２ａに示す。
【００１８】
即ち、１つのパケットを多数のサブパケットに分けて転送する過程において、チャネル及びチャネル環境によって、各サブパケットは他の長さで転送が可能になる。
【００１９】
このとき、サブパケットの長さ、サブパケットＩＤなどに関する情報を知らせるための制御チャネルが存在することになる。
【００２０】
このような方式によって、送信端がパケットデータを受信端に転送すると、受信端は１つのサブパケットを受信するために、制御チャネルを介して該サブパケットに関する情報を抽出する。
【００２１】
また、受信端は、その抽出情報を介して、以前に送信端から転送されたパケットを連結／結合させて、デコーディングを行う。
【００２２】
図１ａに示すように、固定された長さのサブパケットを用いる場合、全てのサブパケットの長さが固定されているので、受信端は１つのサブパケットを受信できなくても、サブパケットの順序が分かっていると、現在受信したサブパケットの転送開始時点を把握することができ、他のサブパケットと共に（或いは一つのサブパケットだけで）、パケットを図１ｂのように再構成し、これに基づいてデコーディングが可能である。
【００２３】
従って、受信端では、現在転送されているサブパケットの順序情報だけ有していると、サブパケットの転送開始点が分かることになる。ＨＤＲのようなＳＩＲ方式を用いる場合には、受信端は、１番目サブパケットを受信した後には、自身のサブパケットがいつ受信されるかという情報がいつも分かるので、１番目サブパケットではない場合には、他の制御情報を必要としない。しかしながら、もし、非同期ＩＲ（ａｓｙｎｃｈｒｏｎｏｕｓ  ＩＲ）を用いることになると、１番目サブパケットの転送時間が決定されても、次のサブパケットの転送時間はランダムに変化し、従って、全サブパケットは、そのサブパケットに対する制御情報のサブパケットＩＤとサブパケットの長さ情報などと共に受信端に転送されるべきである。もし、各サブパケットの長さが固定されると、送信端はサブパケットＩＤを順番に転送することだけでも、受信端では各サブパケットの転送開始点が把握できる。
【００２４】
しかしながら、図２ａのように可変長さのサブパケットを用いる方式は、全てのサブパケットの長さが転送するたびに変化することになるので、サブパケットの情報を含んでいる制御チャネルが受信できない場合、各サブパケットＩＤだけによっては、パケットの開始点の把握が困難であるという問題がある。
【００２５】
即ち、現在受信されたサブパケットが、どこから始められたサブパケットであるかが分からない。
【００２６】
かかる理由によって、可変の長さを用いる方式では、１つのサブパケットでも消失された場合、デコーディングを行うことができなくなる。
【００２７】
即ち、サブパケット２が受信できず、サブパケット３を受信した場合、サブパケット１とサブパケット３を連結する過程から、以前サブパケット２に対する情報がないので、サブパケット３が、図２ｂ又は図２ｃのうち、いずれの形態から作られているか分からなくなる。
【００２８】
即ち、以前サブパケットの転送が終わった位置で、次のサブパケットの転送を開始する順次方式では、中間のいずれかの１つのサブパケットでも受信端が消失することになると、受信端は、その消失されたサブパケット以後に入ってくるサブパケットの転送位置が分からなくなり、デコーディング（復号）を行うことができなくなるという問題が発生する。
【００２９】
このような問題を解決するため１つの方法は、次のような方式を用いるものである。即ち、前記可変のサブパケットを転送する方式で、各サブパケットはパケット内の固定された開始位置から転送され、そのサブパケットの長さと、前記位置に対する情報が、制御チャネルを介して受信端に転送される。従って、受信端は、制御チャネルを介してサブパケットに関する情報を抽出し、このように抽出された情報を介して、以前に受信したサブパケットと連結／結合させてデコーディングすることになる。
【００３０】
しかしながら、このような方式を用いる場合には、エンコーディッドパケット内のいずれかの部分は重複されて転送されず、いずれかの部分は１回も転送できないこともあって、ＨＡＲＱ方式によるコーディング利得を十分に得られないという問題がある。
【発明の開示】
【発明が解決しようとする課題】
【００３１】
従って、本発明の目的は、送受信過程から中間の消失されたサブパケットが発生する場合にも、受信端が転送されたサブパケットを再構成して復号できるようにするハイブリッド自動再送要求方式を用いた可変長さのパケットの転送方法を提供することにある。
【００３２】
本発明の他の目的は、ＨＡＲＱ方式によるコーディング利得を増加させるためのハイブリッド自動再送要求方式を用いた可変長さのパケットの転送方法を提供することにある。
【課題を解決するための手段】
【００３３】
上記目的を達成するための本発明の第１特徴によると、ハイブリッド自動再送要求方式を用いたパケットデータ転送方法は、転送しようとする情報を含むビットストリームを繰り返して生成されたパケットから分離された少なくとも１つのサブパケットを、そのサブパケットの転送開始点情報及び該当サブパケットを転送して形成される。
【００３４】
また、本発明の第２特徴によると、ハイブリッド自動再送要求方式を用いたパケットデータ転送方法は、転送しようとする情報を含むビットストリームを繰り返してパケットを
生成し、そのパケットから少なくとも１つのサブパケットを分離する。ここで、そのサブパケットは、送受信端で互いに決められている規則によって決められた転送開始点などによって分離される。また、送信端でサブパケット識別子を用いて前記転送開始点を制御チャネルを介して知らせ、該当サブパケットをデータ転送チャネルを介して、その転送開始点から前記受信端に転送することから形成される。
【００３５】
望ましくは、前記各サブパケットの転送開始点は、該当サブパケットのコードシンボル数と、該当サブパケット識別子によって決められる。ここで、前記サブパケットが転送されるスロット数、変調方法、拡散コード数によって前記コードシンボル数が決められる。
【００３６】
望ましくは、現在転送すべきサブパケットの識別子の選択は、最初の転送位置を示すためのサブパケット識別子を除外した他のサブパケット識別子のうち前記受信端におけるコーディング利得を最大にするものを選択する。
【００３７】
望ましくは、前記パケットにおいて前記転送開始点を等間隔でマッピングするステップと、前記マッピングされたいずれかの１つの転送開始点で任意のサブパケットを転送するステップとからなる。
【００３８】
望ましくは、前記パケットにおいて前記転送開始点を非等間隔でマッピングし、ここで、前記パケットで重要度の高い前記ビットストリームが位置する所に前記転送開始点を多くマッピングさせ、重要度の低い前記ビットストリームが位置する所により少ない転送開始点をマッピングさせるステップと、前記マッピングされたいずれかの一つの転送開始点で任意のサブパケットを転送するステップとからなることを特徴とする。
【００３９】
望ましくは、前記転送開始点情報に該当されるサブパケットが新しいパケットによって作られたサブパケットであるか又は以前のパケットによって形成された連続的なサブパケットに対する情報を前記制御チャネルを介して追加に転送するステップとを更に含んでいる。
【００４０】
望ましくは、所定のビット数から形成される組合せのうち２つの組合せは前記サブパケットの最初転送開始点情報を示し、残りの組合せは他の転送開始点情報を示す。ここで、前記最初の転送開始点情報を示す２つの組合せのうち、いずれかの１つは、前記パケットで最初に転送されるサブパケットであることを示し、他の１つは、以前に転送されるサブパケットに連続するサブパケットであることを示す。
【００４１】
上記目的を達成するための本発明の第３特徴によると、ハイブリッド自動再送要求方式を用いたパケットデータ受信方法は、受信しようとする情報を含むビットストリームを繰り返して生成されたパケットから分離された少なくとも１つのサブパケットを、データ転送チャネルを介して受信し、前記受信されるサブパケットの前記パケットにおける転送開始点情報を、制御チャネルを介して受信し、前記サブパケットパケットの該当転送開始点情報によって前記パケットを再構成して形成される。
【００４２】
また、本発明のハイブリッド自動再送要求方式を用いたパケット送信方法は、転送しようとする情報を含むビットストリームを繰り返してパケットを生成するステップと、前記パケットから少なくとも１つのサブパケットを分離するステップであって、前記サブパケットは送受信端において互いに決められた規則によって決められている転送開始点によって転送される、ステップと、前記送信端で、サブパケット識別子を用いて前記転送開始点の情報を制御チャネルを介して知らせ、該当サブパケットをデータ転送チャネルを介して前記転送開始点の情報に基づいて転送するステップとを包含することを特徴とする。
【００４３】
前記各サブパケットの転送開始点の情報は該当サブパケットのコードシンボル数と、該当サブパケット識別子によって決められることを特徴とする。
【００４４】
前記サブパケットが転送されるスロット数、変調方法、拡散コード数によって前記コードシンボル数が決められることを特徴とする。
【００４５】
現在転送すべきサブパケットの識別子の選択は、最初の転送位置を示すためのサブパケット識別子を除外した他のサブパケット識別子のうち前記受信端におけるコーディング利得を最大にすることを特徴とする。
【００４６】
前記パケットで前記転送開始点を等間隔でマッピングするステップと、前記マッピングされたいずれかの一つの転送開始点で任意のサブパケットを転送するステップとを包含することを特徴とする。
【００４７】
前記転送されるサブパケットが、以前又は次のサブパケットの転送とオーバーラッピングされることを特徴とする。
【００４８】
前記ビットストリームの長さがＮであるとき、前記パケットでマッピングされる転送開始点は、０、１．２５Ｎ、２．５Ｎ、３．７５Ｎの中の１つであることを特徴とする。
【００４９】
前記パケットで前記転送開始点を非等間隔でマッピングし、ここで、前記パケットで重要度の高い前記ビットストリームが位置する所に前記転送開始点を多くマッピングさせ、重要度の低い前記ビットストリームが位置する所に転送開始点をより少なくマッピングさせるステップと、前記マッピングされたいずれか１つの転送開始点で任意のサブパケットを転送するステップと
を包含することを特徴とする。
【００５０】
前記転送されるサブパケットが、以前又は次のサブパケットの転送とオーバーラッピングされることを特徴とする。
【００５１】
前記パケットで１つのシンボルを構成するシステマチックビット、第１パリティービット、第２パリティービットのうち前記システマチックと前記第１パリティーとを重要に考慮して前記サブパケットの前端部に位置させ、前記前端部に前記伝送開始点を多くマッピングさせることを特徴とする。
【００５２】
前記転送開始点情報に該当するサブパケットが前記パケットで最初に転送されるサブパケットであるかどうかに対する情報を前記制御チャネルを介して追加に転送するステップとをさらに包含することを特徴とする。
【００５３】
前記転送されるサブパケットが前記パケットで最初に転送されるサブパケットであるかどうかによって、前記情報は０又は１にセットされることを特徴とする。
【００５４】
前記転送されるサブパケットが、前記パケットで最初に転送されるサブパケットの場合、０に転送されていた前記情報は１にトグルされ、１に転送された前記情報は０にトグルされることを特徴とする。
【００５５】
前記所定のビット数に形成された組合せのうち２つの組合せは、前記サブパケットの最初の転送開始点の情報を示し、他の組合せは他の転送開始点の情報を示すことを特徴とする。
【００５６】
前記最初の転送開始点情報を示す２つの組合せのうち、いずれか１つは、前記パケットで最初に転送されるサブパケットであることを示し、他の１つは以前に転送されるサブパケットに連続するサブパケットであることを示すことを特徴とする。
【００５７】
前記所定のビット数は３ビットからなることを特徴とする。
【００５８】
また、本発明のハイブリッド自動再送要求方式を用いたパケット送信方法は、転送しようとする情報を含むビットストリームをエンコーディングした後に繰り返してパケットを生成するステップと、前記パケットから少なくとも一つのサブパケットを分離するステップと、前記分離されたサブパケットのうち該当サブパケットのコードシンボル数（Ｌｋ）と、最初の転送位置を示すためのサブパケット識別子を除外した他のサブパケットの識別子のうち受信端におけるコーディング利得を最大にするサブパケット識別子と、前記パケット内のビット数によって決められる前記該当サブパケットの転送開始点情報によって前記該当サブパケットを転送するステップとを包含することを特徴とする。
【００５９】
前記該当サブパケットの転送されるスロット数、変調方法、拡散コード数によって前記コードシンボル数が決められることを特徴とする。
【００６０】
前記コーディング利得を最大にするサブパケット識別子は前記該当サブパケットの転送開始点情報値と、以前転送されたサブパケットの転送終了地点情報値との差が一番小さい値を有するように決めることを特徴とする。
【００６１】
前記コーディング利得を最大にするサブパケット識別子は、｛ｘ、５Ｅp｝によって決
められ、ここでｘ＝|Ｆk―（Ｆk-1＋Ｌk）ｍｏｄ（５Ｅp）|であり、前記Ｆkは前記該当
サブパケットの転送開始点情報値であり、前記Ｆk-1は前記以前転送されたサブパケット
の転送開始点情報値であり、前記Ｌkは前記該当サブパケットのシンボル数であり、前記
５Ｅpは前記パケット内のシンボル数で定義されることを特徴とする。
【００６２】
また、本発明のハイブリッド自動再送要求方式を用いたパケット送信方法は、受信しようとする情報を含むビットストリームをエンコーディングした後に繰り返して生成されたパケットから分けられた少なくとも一つのサブパケットを受信する場合、サブパケットの識別子を用いて転送開始点を選択し、該選択された転送開始点によって以前に受信された少なくとも一つのサブパケットと共に前記パケットを再構成することを特徴とする。
【００６３】
前記転送開始点の選択時、該当サブパケットのコードシンボル数を更に含めて決められることを特徴とする。
【００６４】
また、本発明のハイブリッド自動再送要求方式を用いたパケット送信方法は、受信しようとする情報を含むビットストリームをエンコーディングした後繰り返して生成されたパケットから分けられた少なくとも一つのサブパケットを受信する場合、前記受信されるサブパケットが前記パケットから最初に転送されるサブパケットであるかどうかに対する情報を前記制御チャネルを介して受信するステップと、前記情報及び前記受信されたサブパケットの識別子を用いて転送開始点を選択し、該選択された転送開始点によって以前に転送された少なくとも一つのサブパケットと共に前記パケットを再構成するステップと
を包含することを特徴とする。
【００６５】
前記受信されるサブパケットが前記パケットから新たに転送されるサブパケットであるかどうかによって前記情報は０又は１にセットされることを特徴とする。
【００６６】
前記受信されるサブパケットが前記パケットから新たに転送されるサブパケットである
場合、０に受信されていた前記情報は１にトグルされ、１に受信されていた前記情報は０にトグルされることを特徴とする。
【００６７】
所定のビット数から形成される組合せのうち２つの組合せは前記サブパケットの最初の転送開始点情報を示し、他の組合せは他の転送開始点情報を示すことを特徴とする。
【００６８】
前記最初の転送開始点情報を示す２つの組合せのうち、いずれかの１つは前記パケットで最初に転送されるサブパケットであることを示し、他の１つは以前に転送されるサブパケットに連続するサブパケットであることを示すことを特徴とする。
【００６９】
前記所定のビット数は３ビットからなることを特徴とする。
【００７０】
また、本発明のハイブリッド自動再送要求方式を用いたパケット送信方法は、転送しようとする情報を含むビットストリームをエンコーディングした後に繰り返してパケットを生成して前記パケットから分けられた少なくとも一つのサブパケットを受信する場合に、前記受信されたサブパケットのコードシンボル数（Ｌk）及びサブパケット識別子、前記
パケット内のビット数によって選択される前記サブパケットの転送開始点によって前記パケットを再構成するステップとを包含することを特徴とする。
【００７１】
前記サブパケットが転送されるスロット数、変調方法、拡散コード数によって前記コードシンボル数が決められることを特徴とする。
【００７２】
前記受信されたサブパケットの識別子は、ｍｉｎ｛ｘ、５Ｅp｝によって決められ、こ
こで、ｘ＝|Ｆk―（Ｆk-1＋Ｌk）ｍｏｄ（５Ｅp）|であり、前記kはサブパケットインデ
ックスであり、前記Ｆkは前記受信されたサブパケットの転送開始点値であり、前記Ｆk-1は以前転送されたサブパケットの転送開始点情報値であり、前記Ｌkは前記受信されたサ
ブパケットのシンボル数であり、前記５Ｅpは前記パケット内のシンボル数で定義される
ことを特徴とする。
【発明の効果】
【００７３】
以上説明したように、本発明によると、次のような効果がある。
【００７４】
第１に、サブパケットが可変長さを有する場合、１つのサブパケットが消失されても、受信端が、そのサブパケットを１つのパケットに再構成してデコーディングを行うことができる。
【００７５】
第２に、可変の長さを有するサブパケットを転送する場合、受信端が制御チャネルを受信しなくても、次のサブパケットを介してパケットのデコーディングが可能であるので、制御チャネルによって生じる電力消費を減らすことができる。
【００７６】
第３に、サブパケットの開始点を非等間隔で位置させることによって等間隔の開始点で発生するコーディング利得の損失を最小化できる。
【００７７】
第４に、受信端は、転送されるサブパケットがパケットの最初に転送されるパケットであるかどうかを判断することによって、受信端で正しい動作を行うことができる。
【００７８】
第５に、固定位置転送方法を用いるために、順次的な転送方法において発生するサブパケットの消失にも、受信端が受信されたサブパケットを連続的に結合できるようにし、ＡＣＫ／ＮＡＣＫの信頼度を向上させる効果がある。
【００７９】
第６に、サブパケット別にＭＣＳレベルが変えられない場合、コードシンボルの大きさに変化がないので、順次的な転送方法と同様に転送されることになり、固定位置転送方法とは異なりＨＡＲＱ方式によるコーディング利得を十分に得ることができる。
【発明を実施するための最良の形態】
【００８０】
以下、添付の図面を参照して本発明の一実施態様による構成及び作用を詳細に説明する。
（第１実施形態）
本発明の第１実施形態は、可変長さを有するサブパケットを転送する際に、各サブパケットが１つのパケット内において転送される位置を固定されることによって、受信端がサブパケットのうち一つのサブパケットを受信できなくても、受信されたサブパケットをエンコーディングできる方法を提案する。
【００８１】
図３ａおよび図３ｂは、本発明によるサブパケット転送方法の例を示す図である。
【００８２】
図３ａおよび図３ｂでは、開始点を等間隔で配置した例を示している。
【００８３】
図３ｂにおいて、パケット内の同一の情報が、２つのサブパケットにオーバーラッピングされて転送されることもある。
【００８４】
図３ａおよび図３ｂを参照すると、送信端がサブパケットを転送する場合、その送信端は、既に決められたサブパケット転送開始点における適した位置を選択して、その位置から各サブパケットを転送する。
【００８５】
送信端は、まず、サブパケットを転送するために等間隔で位置されたいくつかの転送開始点が決められている。
【００８６】
従って、前記送信端が制御チャネルを介して転送するサブパケットのＩＤ情報は、現在の転送端が転送するサブパケットの順序に対する情報ではなく、現在転送するサブパケットが前記送信端と受信端で約束されたいくつかの開始点のうち、どの転送開始点からデータを転送するかを知らせる開始点に対する情報を意味している。
【００８７】
即ち、前記送信端は、転送されるサブパケットが前記受信端と約束された転送時点Ｐ１、Ｐ２、Ｐ３、Ｐ４のうちいずれかの１時点のサブパケットということを知らせる。
【００８８】
このように、前記送信端が前記受信端に開始点情報を転送することで、以前サブパケットが消失しても、各サブパケットがパケット内でいずれかの位置に存在するかが分かるようになる。
【００８９】
従って、前記受信端は、サブパケットが消失する場合にも、その消失したサブパケットを除外した他のサブパケットを受信して、その受信されたサブパケットを連結又は結合することでパケットを再構成でき、再構成されたパケットがデコーディングされる。
【００９０】
前記エンコーディングされたパケット内でサブパケットの転送開始点をマッピングする方法としては、２つの場合が考えられる。
【００９１】
第１の場合は、等間隔に開始点を配置する方式であり、パケット内の全ての情報が同一な重要度を有する場合、各情報はどの情報が転送されても関係がないので、全てのサブパケットの転送開始点は、前記パケット内で等間隔でマッピングされる。
【００９２】
第２の場合は、前記エンコーディングされたパケット内の情報が、位置によって重要度が異なる場合、等間隔で開始点を配置することになると、重要度の高い情報が転送されない場合が生じ、これによって大きな損失を被るおそれがある。
【００９３】
従って、重要度の高い位置の情報が転送される確率を高めるために、前記パケット内で重要度の高い部分に転送開始点などを多くマッピングさせることによって、前記転送開始点を非等間隔にマッピングさせる。
【００９４】
前記２つの場合に転送開始点がマッピングされる本発明によるパケットの構成を図４ａおよび図４ｂに示す。
【００９５】
図４ａは、本発明によってパケット内の情報が、位置による信頼度を有しない場合のサブパケットを有するパケット及び前記パケット生成のためのブロックダイアグラムである。
【００９６】
図４ｂは、本発明によって、パケット内の情報が、位置による信頼度を有する場合のサブパケットを有するパケット及び前記パケット生成のためのブロックダイアグラムである。
【００９７】
図４ａおよび図４ｂを参照すると、１／５コードレートを有するマザー（ｍｏｔｈｅｒ）コーダに関するするシステムにおいて、ターボ符号器１０１の出力はＸ、Ｙ０、Ｙ０’、Ｙ１、Ｙ１’の５種類になっている。
【００９８】
出力Ｘは、情報ビットであり、出力Ｙ０、Ｙ０’、Ｙ１、Ｙ１’は、それぞれ、前記情報ビットに付加される冗長符号である。
【００９９】
この場合、前記インコーディッドパケットは、再整列／インターリービングブロック１０２によって、エンコーディッドパケットに生成され、エンコーディッドパケットは、繰り返しブロック１０３の繰り返しによって、パケットに生成される。
【０１００】
この場合、前記エンコーディッドパケットは無限繰り返しと仮定し、受信端が前記エンコーディッドパケットをエラー無しでデコーディングするまで、送信端は、継続的にサブパケットを転送するものとする。また、前記パケットは、複数の可変長さを有するサブパケットに分けられるものとする。
【０１０１】
図４ａに示すように、インターリービング過程で、出力Ｘ、Ｙ０、Ｙ０’、Ｙ１、Ｙ１’を、全体エンコーディッドパケット内に均衡的に分布させる場合に、前記エンコーディッドパケットは位置による重要度が存在しないことになる。
【０１０２】
従って、前記パケットを４等分して転送開始点を各々マッピングし、前記各転送開始点に該当するサブパケットを転送しようとする場合、前記エンコーディッドパケット内に、転送開始点は、１つのエンコーディッドパケットを等間隔に４等分した位置にマッピングすることになる。
【０１０３】
図５ａは、本発明によってパケット内に転送開始点を等間隔に分けた場合における各サブパケットの転送間隔を示した図である。
【０１０４】
図５ａの（２）において、各サブパケットをオーバーラッピングさせることもできる。
【０１０５】
この場合、オーバーラッピングされて転送されるサブパケットから理解されるように、
転送されるサブパケットに該当するサブパケットＩＤは、例えば、Ｐ１、Ｐ２、Ｐ３、Ｐ４を表示するためのビットの組合せが００、０１、１０、１１であるとき、最初の転送開始点を示すビットの組合せを除外すると、００を除外した残りビット組合せは、その転送が順番になされるものではなく、コーディング利得を高めるための（オーバーラッピングが小さくなるように）順番に形成されることもあり、重複されて転送されることもある。従って、図５ａの（２）のように、Ｐ１、Ｐ３、Ｐ１…が連続的に転送されることを確認できる。
【０１０６】
なお、図４ｂに示すようにターボ符号器１０１の出力Ｘ、Ｙ０、Ｙ０’の重要度が、Ｙ１，Ｙ１’の重要度より高いとすると、Ｘ、（Ｙ０＋Ｙ０’）、（Ｙ１＋Ｙ１’）を、それぞれ、インターリビングして生成されたエンコーディッドパケット内で出力Ｘ及び（Ｙ０＋Ｙ０’）が前端部に置かれて、その前端部の重要度が高くなる。
【０１０７】
この場合、送信端は、エンコーディッドパケットが繰り返して構成されるパケット内において転送開始点を４等分するとき、いずれか１つのエンコーディッドパケット内の前部分に、転送開始点を更に多くマッピングさせる。
【０１０８】
このとき、受信端が前記パケットから転送されるいずれか１つのサブパケットを受信できなくても、重要度の高いＸ、Ｙ０、Ｙ０’が受信される確率が高められ、等間隔で発生されるコーディング利得の損失を減らすことができる。
【０１０９】
図５ｂは、本発明によってパケット内に開始点を非等間隔で分割した場合における各サブパケットの転送間隔を示す図である。
【０１１０】
図５ｂの（２）を参照すると、前記エンコーディッドパケット内で非等間隔で分割された転送開始点によって、各サブパケットは、送信端が転送する情報の重要度によって各サブパケットの情報をオーバーラッピングさせることもできる。
【０１１１】
同様に、オーバーラッピングされて転送されるサブパケットから分かるように、転送されるサブパケットに該当するサブパケットＩＤは、例えば、Ｐ１、Ｐ２，Ｐ３，Ｐ４を表示するためのビットの組合せが、００，０１，１０，１１であるとき、最初の転送開始点を示すビットの組合せを除外すると、００を除外した他のビットの組合せは、その転送が順番になされるものではなく、コーディング利得を高めるために（オーバーラッピングが小さくなるように）ランダムな順番になされ、重複されて転送されることもある。
【０１１２】
図６は、本発明によって受信端が転送されたサブパケットを再構成してエンコーディッドパケットを生成することを示す図である。
【０１１３】
図６を参照すると、前記２つの方式によって送信端が各サブパケットを受信端に転送することになると、送信端で転送するサブパケットＩＤは、現在転送するサブパケットが何番目のサブパケットという情報ではなく、現在転送するサブパケットが、Ｐ１、Ｐ２、Ｐ３、Ｐ４のどの位置から転送したサブパケットであるかを知らせる転送開始点のインディケータービット（indicator  bit）として、受信端で解釈される。
【０１１４】
これにより、受信端はサブパケットを受信すると、制御チャネルによって、受信したサブパケットがどの位置から転送されたサブパケットであるかを判断する。
【０１１５】
その情報によって、前記受信端は順次に転送されるサブパケットを連結又は結合して１つのエンコーディッドパケットを生成する。また、そのエンコーディッドパケットから所望のデータを復号する。
【０１１６】
尚、本発明は、可変長さのサブパケットからなるパケット転送において、受信端が受信されたサブパケットが、任意の情報から生成されたパケットの最初の転送開始点から転送されるサブパケットであるかどうかを判別できるようにする２つの方法を提案する。
【０１１７】
第１の方法は、送信端が転送するサブパケットが任意の最初の転送開始点で転送される新しいパケットに対するサブパケットの有無を受信端に知らせるための１ビットの制御情報を制御チャネルに含ませる方法である。
【０１１８】
即ち、前記送信端は、ＮＣ＿ＩＮＤ(ＮＥＷ／ＣＯＮＴＩＵＮＥ  ｉｎｄｉｃａｔｏｎ)と呼ばれるフィールドを、制御情報チャネルに付加する。このとき、送信端は、パケットの最初の転送開始点で転送されるサブパケットのためにＮＣ＿ＩＮＤを０にセットし、最初の転送開始点で転送されないサブパケットのためにＮＣ＿ＩＮＤを１にセットする。また、送信端は、もし、ＮＣ＿ＩＮＤが０の状態で連続的にセットされた状態で、現在転送されるサブパケットが新しいパケットから形成されたサブパケットであれば、ＮＣ＿ＩＮＤを１にトグリングする。同様に、もし、ＮＣ＿ＩＮＤが１の状態で連続的にセットされた状態で、現在転送されるサブパケットが新しいパケットから形成されたサブパケットであれば、ＮＣ＿ＩＮＤを０にトグリングする。
【０１１９】
受信端、はＮＣ＿ＩＮＤが０であれば、パケットの最初の転送開始点から転送されるサブパケットと判断し、１であれば、最初の転送開始点で転送されるサブパケットではないものと判断する。
【０１２０】
また、ＮＣ＿ＩＮＤが０の状態で連続的に受信されている間に、ＮＣ＿ＩＮＤが１の状態で受信されると、受信端は、現在受信されたサブパケットは新しいパケットによって形成されたサブパケットと判断する。この場合、サブパケットに対しては新しい独立的な復号過程を開始し、以前サブパケットとの過程を行わなくなる。
【０１２１】
同様に、ＮＣ＿ＩＮＤが１の状態で連続的に受信されている間に、前記ＮＣ＿ＩＮＤが０の状態で受信されると、受信端は現在受信されたサブパケットは新しいパケットによって形成されたサブパケットと判断して、そのサブパケットに対しては新しい独立的な復号過程を開始し、以前サブパケットとの過程を行わなくなる。
【０１２２】
第２の方法は、送信端が転送するサブパケットの転送開始点の情報に対する制御情報を変形する方法である。
【０１２３】
ここで、制御情報の一部は、最初の転送開始点で転送されるサブパケットであることを示すために用いられる。また、他の制御情報は、最初ではなく他の転送開始点情報の転送のために用いられる。このとき、３ビットを用いてサブパケットの転送位置を指示する。これを図７に示す。
【０１２４】
図７は、本発明のハイブリッド自動再送要求方式によって可変長さのサブパケットの転送間隔を示す図である。
【０１２５】
即ち、送信端は３ビットを用いて転送されるサブパケットのパケット内の転送位置と、転送されるサブパケットがパケットで最初の転送開始点で転送されるサブパケットであるかどうかを受信端に知らせる。従って、Ｐ０（０００）、Ｐ７（１１１）が最初の転送開始点位置を示すようにし、他のＰ１（００１）、Ｐ２（０１０）、Ｐ３（０１１）、Ｐ４（１００）、Ｐ５（１０１）、Ｐ６（１１０）は他の転送開始点の位置を示すようにする。ただし、Ｐ０は、パケットの最初の転送開始点で転送されるサブパケットの制御情報に
用いられ、Ｐ７は、パケットの最初の転送開始点で転送されるサブパケットであるが、以前に転送されたサブパケットに連結されるサブパケットであることを示すための制御情報に用いられる。
【０１２６】
従って、受信端が３ビットのサブパケットの転送位置情報を送信端から受信して、Ｐ０（０００）であると、パケットの最初に転送されるサブパケットと判定し、Ｐ０（０００）ではないと、パケットの最初に転送されるサブパケットではないものと判定する。
【０１２７】
前記第１方式と、第２方式は、相互に同じ制御情報を用いているが、第１方法のサブパケットの転送位置は４種類であるのに対して、第２の方法のサブパケット転送位置は７種類となる差がある。
（第２実施形態）
同様に、本発明の第２実施形態は、可変長さを有するサブパケットを転送する際に、各サブパケットが１つのパケット内で転送される開始位置を、端末と基地局が約束したある特定マッピング方式によって決めることによって、受信端がサブパケットのうちいずれかの１つのサブパケットを受信できなかった場合にも、受信されたサブパケットをデコーディングできる方法を提案する。
【０１２８】
ただし、本発明の第２実施形態では、パケット転送でエンコードパケットの長さと、サブパケットの長さを用いて、サブパケットの転送位置を決定する方法を提案する。
【０１２９】
ここで用いられるエンコーダパケット及びサブパケットは、前述した図４ａ及び図４ｂの構成によって生成される。
【０１３０】
このようにして生成されたサブパケットの転送位置は、次のような方式によって決められる。
【０１３１】
即ち、エンコーダパケット（図４ａおよび図４ｂのターボ符号器１０１の入力パケット）の大きさと、サブパケットの長さが決められると、サブパケットのコードシンボル大きさが決定されるので、その情報を用いて、以前のサブパケットが現在サブパケットで転送されるコードシンボルの大きさと同じ大きさを有して転送されたという仮定の下で、現在転送されるサブパケットの転送位置を決める方式である。
【０１３２】
サブパケット識別子（ｓｕｂ−Ｐａｃｋｅｔ  Ｉｄｅｎｔｉｆｉｃａｔｉｏｎ：以下ＳＰＩＤと称する）が００の１番目のサブパケットは常にエンコーディッドパケット（図４ａおよび図４ｂの繰り返しブロック１０３の出力パケット）の最初の転送位置で受信端に転送される。ＳＰＩＤが０１の２番目のサブパケットは、２番目のサブパケットに当たるエンコーダパケットの大きさと、サブパケットの長さの情報を用いて、２番目のサブパケットのコードシンボルの大きさを求め、１番目のサブパケットが前記２番目のサブパケットに当たるコードシンボルの大きさで転送されると、その次の位置で転送される。ＳＰＩＤが１０の３番目のサブパケットは、３番目のサブパケットに当たるエンコーダのパケットの大きさとサブパケットの長さの情報を用いて、その３番目のサブパケットのコードシンボルを求めて、１番目のサブパケットと２番目のサブパケットが、３番目のサブパケットに当たるコードシンボルの大きさで転送されたものとして、その次の位置で転送される。ＳＰＩＤが１１の４番目のパケットは、４番目のサブパケットに当たるエンコーダパケットの大きさと、サブパケットの長さの情報を用いて、その４番目のサブパケットのコードシンボルの大きさを求め、１番目のサブパケット、２番目のサブパケット、３番目のサブパケットが、その４番目のサブパケットに当たるコードシンボルの大きさで転送されたものとして、その次の位置で転送される。
【０１３３】
このときのＳＰＩＤは、００、０１、１０、１１が順番に転送されるようにされる。かかる方式でサブパケットの転送開始位置を決めると次のような効果が得られる。
【０１３４】
もし、各サブパケットが転送されるようにスケジュールされる時点で、チャネルの状況が一定に維持される場合を考えてみると、各サブパケットで転送されるようになるサブパケットのコードシンボルの長さは一定になる。結果的に、前記のような方法を用いて決定されたサブパケットの転送開始位置は、チャネル状況が一定であるという仮定の下で、最大のコーディング利得が得られる連続的な転送方法と同一になる。
【０１３５】
また、各サブパケットの転送時にチャネルの状況が変化して各サブパケットを介して転送するようになるコードシンボルの大きさを変える場合には、次のような過程を用いて受信端における結合コーディング利得を最大になるようにサブパケットＩＤ、即ち、サブパケットの転送開始情報を決めることになる。この方法では、サブパケットＩＤが、順番に転送されるものではなく、ランダムに転送されるようにされる。
【０１３６】
また、このときのサブパケットＩＤは、サブパケット間のオーバーラッピングされる割合を少なくして、受信端におけるコーディング利得を高めるようにして、送信端で適切に選択される。また、コーディング利得を高めるようにサブパケットＩＤが重複されて転送されることもある。これを式に示すと次のようになる。
【０１３７】
まず、ｋが任意のサブパケットのインデックスであり、ＮEPがエンコーダパケットのビット数であり、Ｎwalsh、kがｋ番目サブパケットの３２チップワルシ(walsh)チャネルの
数であり、Ｎslots、kが前記ｋ番目サブパケットの１．２５ｍｓスロットの数であり、ｋ番目のサブパケットのＩＤはＳＰＩＤkであり、ｍkが前記サブパケットの変調技法によって変更される変数であると定義する。このとき、前記ｍkはＱＰＳＫ、８−ＰＳＫ、ＱＡ
Ｍの方式によって、順番に２、３、４に変化する値であり、追加の変調方式によって変形され得る。ＮEP、Ｎｓｌｏｔｓ、ｋ値は、送信端（例えば、基地局）によって決められる値であり、パケットデータ制御チャネルを介して受信端（例えば、端末機）に転送される。
【０１３８】
また、図４ａおよび図４ｂの繰り返しブロック１０３のビットシーケンスが０から番号が付けられるとすると、ビットシーケンスのうち任意のｋ番目のサブパケットのために選択されるコードシンボルの数Ｌkは，次の式１によって決められる。
【０１３９】
「式１」
Ｌk＝４８＊Ｎwalsh、k＊Ｎslots、k＊ｍk
また、決められた数に相当する任意のサブパケットのパケットにおけるスターティングシンボルＦkのスターティングは、次の式２によって決められる。
「式２」
Ｆk＝（ＳＰＩＤＮk＊Ｌk）ｍｏｄ（５ＮEP）
この式２から分かるように、現在のサブパケットを転送するための開始点の位置は、以前に転送されたサブパケットのコードシンボルの長さが現在のサブパケットで転送されるコードシンボルの長さＬkと同一であるとして形成されたいくつかの開始位置から選択さ
れる。このとき、実際に転送するようになる開始点の位置は転送端で選択でき、この選択のために用いる方法の一つは、受信端でサブパケットの結合を介して得られるコーディング利得を最大にできるように選択される。このように選択された開始情報の位置は、サブパケットＩＤによって受信端に転送される。
【０１４０】
次に、表１は、エンコーダパケット長さ（データレート）が３０７２ビットであり、利用可能なワルシコードの数が２８の場合、サブパケットの長さ（サブパケット当たりスロ
ット数）による変調方式、コードシンボルの大きさを示している。
【０１４１】
【表１】
2008252955.tif 000003
【０１４２】
例えば、前記サブパケットの長さが２、前記ワルシコードの数が２８であり、１，２２８８Ｍｃｐｓチップを用いる場合、１スロット当たり４８個の変調シンボルを含めることができるので、１スロットには１３４４個（４８＊２８）のチップが生成される。従って、２つのスロットには２６８８個のチップが含まれ、それらのチップに含まれるコードシンボルの大きさは５３７６（ＱＰＳＫ方式によって２＊２６８８）である。
【０１４３】
図８ａおよび図８ｂは、本発明によるＡＩＲ方式の転送及び復元方法の一例を示す図である。
【０１４４】
図８ａにおいて、エンコーダパケット（図４ａおよび図４ｂにおけるターボ符号器１０１の入力パケット）の長さが３０７２ビットであり、利用可能なワルシコード（ｗａｌｓｈ  Ｃｏｄｅ）の数が２８であり、第１番目のサブパケットの長さ（サブパケット当たりスロット数）が２であり、第２番目のサブパケットの長さが４であり、第３番目のサブパケットの長さが８であり、第４番目のサブパケットの長さが８である。
【０１４５】
従って、エンコーダパケットは、図４ａおよび図４ｂに示すように、１５３６０ビットを含む複数のエンコーディッドパケットから生成され、そのエンコーディッドパケットにおける各サブパケットの転送時点は次のように決められる。
【０１４６】
即ち、第１番目のサブパケット（“００”）は、エンコーディッドパケットの最初で転送される。
【０１４７】
また、受信端は、１つのサブパケットの復号を連続的に行い、送信端には、ＡＣＫを転送する。前記送信端は、これ以上のサブパケットを転送しない。
【０１４８】
しかしながら、受信端が復号を失敗すると、送信端にＮＡＣＫを転送する。また、送信端は、次のＳＰＩＤを有するサブパケットを転送する。
【０１４９】
従って、第２番目のサブパケット（“０１”）を転送する時点で、その２番目のサブパケットのコードシンボルの大きさは１０７５２であるので、以前に転送したサブパケットが現在サブパケットで求められたコードシンボルの大きさで転送されたとしたら、その２番目のサブパケットは、エンコーディッドパケットのコードシンボルのうち１０７５２番目の位置で転送される。
【０１５０】
同様に、３番目のサブパケット（“１０”）を転送する時点で、その３番目のサブパケットのコードシンボル大きさは２１５０４であるので、以前に転送したサブパケットが現在サブパケットで求められたコードシンボルの大きさで転送されたとしたら、その３番目
のサブパケットはエンコーディッドパケットのコードシンボルのうち１２２８８（２１５０４＊２−１５３６０＊２）番目の位置で転送される。
【０１５１】
４番目のサブパケット（“１１”）を転送する時点で、その４番目のサブパケットのコードシンボル大きさは２１５０４であるので、以前に転送したサブパケットが現在サブパケットで求められたコードシンボルの大きさで転送されたとすると、該４番目のサブパケットはエンコーディッドパケットのコードシンボルのうち３０７２（２１５０４＊３−１５３６０＊４）番目の位置で転送される。
【０１５２】
このような方式によって、受信端は、図８ｂに示すように、受信したサブパケットを用いてエンコーディッドパケットを再構成してデコーディングする。
【０１５３】
図９ａおよび図９ｂは、本発明によるＡＩＲ方式の転送及び復元方法における他の例を示す図である。
【０１５４】
図９ａにおいて、エンコーダパケット長さが３０７２ビットであり、利用可能なワルシコードの数が２８であり、ＭＣＳ（Ｍｏｄｕｌａｔｉｏｎ  ａｎｄ  Ｃｏｄｉｎｇ  Ｓｃｈｅｍｅ）レベルが変化されず、全てのサブパケットの長さが４で同じである。
【０１５５】
従って、エンコーディッドパケットは、図４ａおよび図４ｂに示すように、１５３６０ビットを含む複数のエンコーディッドパケットから生成し、そのエンコーディッドパケットにおける各サブパケットの転送時点は、次のように決められる。このとき、各サブパケットのコードシンボル大きさは１０７５２である。
【０１５６】
即ち、１番目のサブパケット（“００”）はエンコーディッドパケットの最初で転送される。
【０１５７】
また、受信端は、その１つのサブパケットの復号を連続的に行い、送信端にＡＣＫを転送する。これにより、送信端はこれ以上のサブパケットを転送しない。
【０１５８】
しかしながら、受信端が復号を失敗すると、送信端にＮＡＣＫを転送する。これにより、送信端は、次のＳＰＩＤを有するサブパケットを転送する。
【０１５９】
従って、２番目のサブパケット（“０１”）を転送する時点で、その２番目のサブパケットのコードシンボルの大きさも１０７５２であるので、その２番目のサブパケットは、エンコーディッドパケットのコードシンボルのうち１０７５２（１０７５２＊１−１５３６０＊０）番目の位置で転送される。
【０１６０】
同様に、３番目のサブパケット（“１０”）を転送する時点で、その３番目のサブパケットのコードシンボルの大きさも１０７５２であるので、その３番目のサブパケットは、エンコーディッドパケットのコードシンボルのうち６１４４（１０７５２＊２−１５３６０＊１）番目の位置で転送される。
【０１６１】
４番目のサブパケット（“１１”）を転送する時点で、その４番目のサブパケットのコードシンボル大きさも１０７５２であるので、その４番目のサブパケットはエンコーディッドパケットのコードシンボルのうち１５３６（１０７５２＊３−１５３６０＊２）番目の位置で転送される。
【０１６２】
このような方式によって、受信端は、図９ｂに示すように、受信したサブパケットを用いてエンコーディッドパケットを再構成してデコーディングする。
【０１６３】
即ち、受信端はサブパケットを受信し、受信されたサブパケットのコードシンボル数によって、以前に転送された少なくとも１つのサブパケットを、受信されたサブパケットと連結又は結合する。
【０１６４】
図９ｂに示すように、本発明による他の例は、順序的な転送方法と同様に転送されることが分かる。
【図面の簡単な説明】
【０１６５】
【図１ａ】従来技術のハイブリッド自動再送要求方式によって固定された長さのサブパケットを有するパケットの構成を示す図である。
【図１ｂ】図１ａに示した固定長さのサブパケットが消失される場合を示す図である。
【図２ａ】従来技術のハイブリッド自動再送要求方式によって可変長さのサブパケットを有するパケットの構成を示す図である。
【図２ｂ】図２ａに示した可変長さのサブパケットが消失される場合を示す図である。
【図２ｃ】図２ａに示した可変長さのサブパケットが消失される場合を示す図である。
【図３ａ】本発明によるサブパケットの転送方法の例を示す図である。
【図３ｂ】本発明によるサブパケットの転送方法の例を示す図である。
【図４ａ】本発明によってパケット内の情報が位置による信頼度を有しない場合のサブパケットを有するパケット及び前記パケット生成のためのブロックダイアグラムである。
【図４ｂ】本発明によってパケット内の情報が位置による信頼度を有する場合のサブパケットを有するパケット及び前記パケット生成のためのブロックダイアグラムである。
【図５ａ】本発明によってパケット内に開始点を等間隔で分けた場合各サブパケットの転送間隔を示す図である。
【図５ｂ】本発明によってパケット内に開始点を非等間隔で分けた場合各サブパケットの転送間隔を示す図である。
【図６】本発明によって受信端が転送されたサブパケットを再構成してエンコーディッドパケットを生成することを示す図である。
【図７】本発明のハイブリッド自動再送要求方式によって可変長さのサブパケットの転送間隔を示す図である。
【図８ａ】本発明によるＡＩＲ方式の転送及びエンコーディング方法の一例を示す図である。
【図８ｂ】本発明によるＡＩＲ方式の転送及びエンコーディング方法の一例を示す図である。
【図９ａ】本発明によるＡＩＲ方式の転送及びエンコーディング方法における他の例を示す図である。
【図９ｂ】本発明によるＡＩＲ方式の転送及びエンコーディング方法における他の例を示す図である。
【符号の説明】
【０１６６】
１０１  １／５ターボ符号器
１０２  再整列／インターリービングブロック
１０３  繰り返しブロック
【図１ａ】
2008252955.tif 000004
【図１ｂ】
2008252955.tif 000005
【図２ａ】
2008252955.tif 000006
【図２ｂ】
2008252955.tif 000007
【図２ｃ】
2008252955.tif 000008
【図３ａ】
2008252955.tif 000009
【図３ｂ】
2008252955.tif 000010
【図４ａ】
2008252955.tif 000011
【図４ｂ】
2008252955.tif 000012
【図５ａ】
2008252955.tif 000013
【図５ｂ】
2008252955.tif 000014
【図６】
2008252955.tif 000015
【図７】
2008252955.tif 000016
【図８ａ】
2008252955.tif 000017
【図８ｂ】
2008252955.tif 000018
【図９ａ】
2008252955.tif 000019
【図９ｂ】
2008252955.tif 000020